(57)【要約】【課題】ＭＢＭＳデータが異周波数/異システム測定用のＧＡＰと重なった場合においても、ＭＢＭＳデータの受信が可能となる通信端末装置を提供する。【解決手段】復調部１０３は、無線部１０２で受信した信号の復調データを誤り訂正部１０４に出力する。誤り訂正部１０４は、誤りのないデータをＭＢＭＳデータ区間判定部１０８に出力する。ＭＢＭＳデータ区間判定部１０８は、誤り訂正部１０４の出力に基づき、基地局装置から通知されるＭＢＭＳデータの区間を認識し、ＧＡＰ制御部１０７に通知する。ＧＡＰ制御部１０７は、無線部１０２および受信レベル測定部１０５に対し、ＭＢＭＳデータの送信タイミングを通知する。これに伴い、受信レベル測定部１０５は、ＭＢＭＳデータの受信タイミングでは、異なる周波数の信号の受信レベルを測定を行わず、現在通信中のＭＢＭＳデータの受信を継続する。【選択図】図１
2007104590.tif 000002
【特許請求の範囲】
【請求項１】
複数の基地局装置が同時に同一データを送信するＭＢＭＳ（マルチメディア・ブロードキャスト／マルチキャスト・サービス）データを受信する通信端末装置であって、
複数の基地局装置から送信された互いに周波数が異なる信号を受信する無線手段と、
前記無線手段で受信された信号の受信レベルを測定する受信レベル測定手段と、
前記無線手段で受信された信号から受信データを復調するデータ受信手段と、
前記データ受信手段で復調された前記受信データから、ＭＢＭＳデータを受信する区間であるか否かを判定するＭＢＭＳデータ区間判定手段と、
前記ＭＢＭＳデータ区間判定手段の判定結果を受けて、現在通信中の周波数とは異なる周波数の受信信号の受信レベル測定を行わないように制御する受信レベル測定制御手段と、
を具備する通信端末装置。
【請求項２】
前記受信レベル測定制御手段における、現在通信中の周波数とは異なる周波数の受信信号の受信信号レベル測定を行わないようにする制御があると、その旨を前記基地局装置に送信する送信手段を有する請求項１記載の通信端末装置。
【請求項３】
前記受信レベル測定制御手段における、現在通信中の周波数とは異なる周波数の受信信号の受信レベル測定を行わないようにした制御回数を記憶する受信レベル測定制御回数記憶手段を有し、前記送信手段は、前記制御回数を送信する請求項２記載の通信端末装置。
【請求項４】
複数の基地局装置が同時に同一データを送信するＭＢＭＳデータを受信する通信端末装置の制御方法であって、
複数の基地局装置が送信する周波数の異なる信号を受信する無線ステップと、
前記無線ステップが出力する受信信号の受信レベルを測定する受信レベル測定ステップと、
前記無線ステップで受信された信号から受信データを復調するデータ受信ステップと、
前記データ受信ステップが出力する前記受信データから、ＭＢＭＳデータを受信する区間を判定するＭＢＭＳデータ区間判定ステップと、
前記ＭＢＭＳデータ区間判定ステップの出力を受けて、現在通信中の周波数とは異なる周波数の受信信号の受信信号レベル測定を行わないように制御する受信レベル測定制御ステップと、
を具備する通信端末装置の制御方法。
【発明の詳細な説明】
【技術分野】
【０００１】
本発明は、複数の基地局装置が同時に送信する同一データを受信する通信端末装置およびその制御方法に関する。
【背景技術】
【０００２】
従来、符号分割多元接続(ＣＤＭＡ)方式を用いた移動通信システムとしてＷ−ＣＤＭＡ方式が知られている。Ｗ−ＣＤＭＡ方式のシステムでは、音声のみならず画像などのマルチメディアデータを伝送することが可能となっている。また、マルチメディアデータを多数のユーザに同時に配信する放送/マルチキャスト型のサービス(Multimedia Broadcast/Multicast Service  マルチメディア・ブロードキャスト／マルチキャスト・サービス  以下、「ＭＢＭＳ」という。）が提案されている（例えば非特許文献１参照）。
【０００３】
移動通信システムでは、サービスエリアを複数の基地局装置で覆う方法（セル構成）が用いられている。通信端末装置の移動によりセルの切り替え（ハンドオフ）が必要な場合は、切り替えに先立って周辺セルの測定を行い、その測定結果に基づいて切り替え先のセルを選択する。周辺セルが現在のセルで使用している周波数チャネル（以下、「自周波数」という。）と異なる場合（以下、「異周波数」という。）や、ＧＳＭなどの異なるシステム（以下、「異システム」という。）の場合は、周波数チャネルを切り替えて測定を行う必要がある。このような異周波数もしくは異システムの測定を通信中に行うためにコンプレストモード(compressed mode)と呼ばれる技術が用いられている（例えば非特許文献２参照）。
【０００４】
従来の通信端末装置おけるＭＢＭＳデータの受信および異周波数/異システムの測定の動作について説明する。図４は、従来の通信システムにおける通信端末装置３００のブロック図を示すものである。図５は、基地局装置から送信された個別チャネル/共通チャネルで送信される送信データの通信端末装置における測定の様子を示す模式図である。
【０００５】
図４において通信端末装置３００は、アンテナ３０１で受信した信号より、無線部３０２、復調部３０３および誤り訂正部３０４を介して受信データを得る。データの種類としては、各通信端末装置３００に対して個別に送信される個別チャネルのデータや、基地局装置から複数の通信端末装置３００に対して送信される共通チャネルのデータがある。ＭＢＭＳデータについては個別チャネルもしくは共通チャネルで送られる。ただし、現時点ではＭＢＭＳデータは、共通チャネルの一つである共通制御チャネル（Secondary Common Control Physical Channel ）を用いて送信されることが多い。
【０００６】
一方、異周波数/異システムの測定については、異周波数/異システムの測定を行う位置および期間（以下、「ＧＡＰ」という。）が、図示しない基地局装置から指定され、通信端末装置３００が指定されたＧＡＰに従った測定を行う。具体的には、基地局装置からの指定は、通信制御部３０６で解析され、ＧＡＰ制御部３０７に出力される。これに応じて、ＧＡＰ制御部３０７が、基地局装置から指定されたＧＡＰに従って無線部３０２および受信レベル測定部３０５を切り替え制御し、自周波数/異周波数/異システムの測定を実施する。個別チャネルの信号に関しては、図５（ａ）に示すようにＧＡＰに応じた圧縮を行って送信されており、通信端末装置ではデータを連続して受信することができる。
【非特許文献１】3GPP TS 23.246, 22.246, 25.346
【非特許文献２】3GPP TS 25.2１2, 25.2１5
【発明の開示】
【発明が解決しようとする課題】
【０００７】
しかしながら、従来の通信端末装置では、共通チャネルで送信されるＭＢＭＳデータが異周波数/異システム測定用のＧＡＰと重なった場合には、ＧＡＰにおける測定を優先し、ＭＢＭＳデータを受信できなくなるという問題があった。例えば、図５（ｃ）に示すようにＭＢＭＳデータの区間に異周波数/異システム測定用のＧＡＰがある場合には、ＧＡＰの区間はＭＢＭＳデータが受信できなくなる。
【０００８】
本発明はかかる点に鑑みてなされたものであり、ＭＢＭＳデータが異周波数/異システム測定用のＧＡＰと重なった場合においても、ＭＢＭＳデータの受信が可能となる通信端末装置およびその制御方法を提供することを目的とする。
【課題を解決するための手段】
【０００９】
かかる課題を解決するため本発明の通信端末装置は、複数の基地局装置が同時に同一データを送信するＭＢＭＳ（マルチメディア・ブロードキャスト／マルチキャスト・サービス）データを受信する通信端末装置であって、複数の基地局装置が送信する周波数の異なる信号を受信する無線手段と、前記無線手段が出力する受信信号の受信レベルを測定する受信レベル測定手段と、前記無線手段で受信された信号から受信データを復調するデータ受信手段と、前記データ受信手段で復調された前記受信データから、ＭＢＭＳデータを受信する区間を判定するＭＢＭＳデータ区間判定手段と、前記ＭＢＭＳデータ区間判定手段の出力を受けて、現在通信中の周波数とは異なる周波数の受信信号の受信信号レベル測定を行わないように制御する受信レベル測定制御手段と、を具備する構成を採る。
【００１０】
また本発明に係る通信端末装置の制御方法は、複数の基地局装置が同時に同一データを送信するＭＢＭＳデータを受信する通信端末装置の制御方法であって、複数の基地局装置が送信する周波数の異なる信号を受信する無線ステップと、前記無線ステップが出力する受信信号の受信レベルを測定する受信レベル測定ステップと、前記無線ステップで受信された信号から受信データを復調するデータ受信ステップと、前記データ受信ステップで復調された前記受信データから、ＭＢＭＳデータを受信する区間を判定するＭＢＭＳデータ区間判定ステップと、前記ＭＢＭＳデータ区間判定ステップの出力を受けて、現在通信中の周波数とは異なる周波数の受信信号の受信信号レベル測定を行わないように制御する受信レベル測定制御ステップと、を具備する構成を採る。
【発明の効果】
【００１１】
本発明によれば、ＭＢＭＳデータが異周波数/異システム測定用のＧＡＰと重なった場合において、ＧＡＰでの測定を行わないように制御する手段を設けることにより、ＭＢＭＳデータの受信が可能となるという効果を有する通信端末装置を提供することができる。
【発明を実施するための最良の形態】
【００１２】
以下、本発明の実施の形態について図面を参照して詳細に説明する。
【００１３】
（実施の形態１）
以下、本発明の実施の形態に係る通信端末装置および通信システムについて、図面を用いて説明する。
【００１４】
図１は、本発明の実施の形態１に係る通信端末装置１００のブロック図である。実施の形態１に係る通信端末装置１００は、アンテナ１０１と、無線部１０２と、復調部１０３と、誤り訂正部１０４と、受信レベル測定部１０５と、通信制御部１０６と、ＧＡＰ制御部１０７と、ＭＢＭＳデータ区間判定部１０８とから主に構成されている。なお、通信端末装置１００は、受信データを受信する上位レイヤ部も具備するが、これは図示していない。
【００１５】
アンテナ１０１は、図示しない基地局装置からの送信信号を受信し、無線部１０２に出力する。無線部１０２は、受信信号を処理して得たベースバンド信号を復調部１０３および受信レベル測定部１０５に出力する。復調部１０３は、入力されたベースバンド信号を復調処理し、処理結果の復調データを誤り訂正部１０４に出力する。誤り訂正部１０４は復調部１０３とともにデータ受信部を構成し、復調部１０３が出力する復調データの誤り有無を判定し、誤りのないデータ並びに訂正可能で訂正したデータを受信データとして通信制御部１０６、ＭＢＭＳデータ区間判定部１０８および図示しない上位レイヤ装置に出力する。
【００１６】
通信制御部１０６は、通信端末装置１００の位置登録、発着信、ハンドオーバ等の無線回線制御、呼処理等を行うとともに、ＧＡＰに関する情報（位置及び区間）をＧＡＰ制御部１０７に通知する。ＭＢＭＳデータ区間判定部１０８は、誤り訂正部１０４が出力する受信データ中から、基地局装置から通知/送信されるＭＢＭＳデータの区間に関する情報を抽出し、ＧＡＰ制御部１０７に通知する。
【００１７】
ＧＡＰ制御部１０７は、通信制御部１０６より通知されたＧＡＰに関する情報（位置及び区間）およびＭＢＭＳデータ区間判定部１０８から通知されたＭＢＭＳデータの区間に関する情報を受けて、無線部１０２および受信レベル測定部１０５を制御する。すなわち、ＧＡＰ制御部１０７は、ＧＡＰ中に異周波数/異システムの測定を行う場合は、無線部１０２に対して周波数を切り替える指示を出し、受信レベル測定部１０５に対しては自周波数から異周波数/異システムに切り替える旨の通知を行う。受信レベル測定部１０５では、通知された切り替え情報に従って自周波数や異周波数/異システムの測定結果を周波数やセル毎に蓄積する。受信レベル測定部１０５における周波数やセル毎の測定結果は、通信制御部１０６に通知され、セル切り替えやハンドオーバ等の無線回線制御の判断材料となる。また、ＧＡＰ制御部１０７は、前述のＭＢＭＳデータの区間に関する情報により、ＧＡＰのタイミングとＭＢＭＳデータの区間が重なる場合は、異周波数/異システムの測定を行わないようにし、ＧＡＰのタイミングとＭＢＭＳデータの区間が重ならない場合は、異周波数/異システムの測定を行うようにする。これに伴い、受信レベル測定部１０５は、ＭＢＭＳデータの受信タイミングでは、異なる周波数の信号の受信レベルの測定を行わず、現在通信中のＭＢＭＳデータの受信を継続する。
【００１８】
以上のように構成された通信端末装置１００について、その動作を説明する。
【００１９】
ＭＢＭＳデータ区間判定部１０８では、基地局装置から通知/送信されるＭＢＭＳデータの区間を認識し、ＧＡＰ制御部１０７に通知する。ＧＡＰ制御部１０７では、ＭＢＭＳデータの区間であると通知された場合には、指定されたＧＡＰにおける異周波数/異システムの測定指示を行わず、受信レベル測定部１０５は、自周波数の測定を継続する。ＭＢＭＳデータの区間でない場合には、受信レベル測定部１０５は、指定されたＧＡＰにおける異周波数/異システムの測定を実施する。例えば、図２（ａ）、図２（ｂ）、図２（ｄ）に示すようにＭＢＭＳデータの区間に異周波数/異システム測定用のＧＡＰがある場合には、ＧＡＰにおける測定は行わず、自周波数の測定を継続する。この様子を、図２（ｄ）のＩＮＴで示す。このＩＮＴにおける通信端末装置１００の動作を、図５（ｃ）に示した従来の場合と比較すれば明らかなように、本実施の形態によればＧＡＰに伴う異周波数/異システムの受信レベル測定が間引かれており、これにより、通信端末装置１００は、ＭＢＭＳデータを正常に受信することができる。
【００２０】
このように、実施の形態１によれば、ＭＢＭＳデータの区間である場合には、ＭＢＭＳデータ区間判定部１０８とＧＡＰ制御部１０７の連動により、基地局装置から指定されたＧＡＰにおける異周波数/異システムの測定は行わないように制御することによりＭＢＭＳデータを誤りなく受信することができるようにしている。これによって、実施の形態１においては、ＭＢＭＳデータが必要以上に失われるのを防止することができる。
【００２１】
なお、実施の形態１ではＭＢＭＳデータの区間である場合には、無条件で異周波数/異システムの測定を行わないとしたが、一定の条件を加重して必要な測定性能が保てる範囲内で測定を行わないように制御することもできる。加重する一定の条件としては自周波数の測定レベルがあり、自周波数の測定レベルが所定のしきい値より高い場合には、異周波数/異システムの測定が必要ないと判断し、測定を行わないようにすることもできる。また、異周波数/異システムの測定レベルが所定のしきい値より低い場合には、異周波数/異システムの測定が必要ないと判断し、測定を行わないようにすることもできる。
【００２２】
また、ＭＢＭＳデータの誤り訂正能力が低く、異周波数/異システムの測定によってデータを受信することができないと判断される場合に限って測定を行わないようにすることも可能である。このように、本発明の実施に当たって、通信端末装置１００は、通信システムの各種条件を組み込んだうえで、異周波数/異システムの測定を行わないよう制御することができる。
【００２３】
また、ＭＢＭＳデータが複数のセルから送信され、端末側において選択合成（Selective Combining）している場合において、一方のＭＢＭＳデータがＧＡＰと重なり、他方のＭＢＭＳデータがＧＡＰと重ならない場合には、指定されたＧＡＰにおける異周波数/異システムの測定を行うようにすることもできる。この場合は、他方からのＭＢＭＳデータが正しく取得できる可能性が高いので、異周波数/異システムの測定を行ってセルの環境測定を優先するためである。
【００２４】
このように、本発明を実施するに当たっては、ＭＢＭＳデータの取得と受信レベル測定による通信環境の把握とをバランスをとって制御することが可能である。
【００２５】
（実施の形態２）
本発明の実施の形態２に係る通信端末装置のブロック図を、図３に示す。図３において、図１の同じ機能を果たすブロックについては、同じ参照符号を付して詳細な説明を省略する。実施の形態２に係る通信端末装置２００は、図３に示すように、送信部２０９を付加しているところに特徴がある。送信部２０９は、図２（ｄ）ＩＮＴで示したように、異周波数/異システムの測定を実施しなかったことを基地局装置に対して通知するため設けたものである。
【００２６】
以上のように構成された通信端末装置および通信システムについて、その動作を説明する。
【００２７】
通信端末装置２００は、異周波数/異システムの測定を実施しなかったことを送信部２０９およびアンテナ１０１を介して基地局装置に通知する。基地局装置では通信端末装置２００から通知された異周波数/異システムの測定状況に応じてＧＡＰ区間の位置や長さを決定し、通信端末装置２００に通知する。
【００２８】
通信端末装置２００では、指定されたＧＡＰ区間において異周波数/異システムの測定を実施する。例えば、図２（ａ）、（ｂ）、（ｄ）に示すようにＭＢＭＳデータの区間に異周波数/異システム測定用のＧＡＰがある場合には、ＧＡＰにおける測定は行わず、自周波数の測定を継続する。これにより、ＭＢＭＳデータを正常に受信することができる。また、通信端末装置２００が基地局装置に対して異周波数/異システムの測定を実施しなかったことを通知し、基地局装置では通信端末装置２００における異周波数/異システムの測定性能が保てるようにＧＡＰの頻度や密度を高くする等の制御を行う。
【００２９】
なお、以上の説明ではＧＡＰ区間の位置や長さを基地局装置で決定するものとしたが、通信端末装置２００からＧＡＰ区間の位置や長さを要求するようにしても良い。この要求をする際、通信端末装置２００が、ＧＡＰとして欲しい期間を要求しても良いし、逆にＧＡＰとして欲しくない期間を要求しても良い。また、通信端末装置２００の異周波数/異システムの測定状況を基地局装置で把握するために、通信端末装置２００から基地局装置に対して異周波数/異システムの測定を実施しなかった回数を、送信部２０９に当該回数を計数して記憶する回数記憶部２１０を設けて、回数記憶部２１０が記憶する回数値を利用して報告するようにしても良い。
【００３０】
また、通信端末装置２００から基地局装置に対して現在受信中のＭＢＭＳデータの種別や優先度を通知するようにし、基地局装置は、通知されたＭＢＭＳデータの種別のスケジュールや優先度によってＧＡＰ区間の位置や長さを、セル全体の通信環境や通信端末装置２００の受信レベルなどの総合的な情報に基づき、決定するようにしても良い。
【００３１】
以上のように、実施の形態２によれば、基地局装置からの指定とは異なりＧＡＰ測定を行わなかった場合には、その旨を含む各種の情報を通信端末装置２００が基地局装置に送信するので、基地局装置は通信端末装置２００の通信環境を総合的に把握することができる。したがって、基地局装置は、適応的にＧＡＰの制御を行うことも可能となり、実施の形態２によれば、高い通信信頼性とＭＢＭＳデータの高効率送信とを両立させることができる。
【産業上の利用可能性】
【００３２】
本発明は以上のように、共通チャネルで送信されるＭＢＭＳデータが異周波数/異システム測定用のＧＡＰと重なった場合にはＧＡＰでの測定を制御し、高い通信信頼性とＭＢＭＳデータの高効率送信とを両立させてＭＢＭＳデータの受信が可能とすることができるという効果を有し、通信端末装置として有用である。
【図面の簡単な説明】
【００３３】
【図１】本発明の実施の形態１に係る通信端末装置のブロック図
【図２】本発明の実施の形態１に係る基地局装置から送信される送信データの測定の様子を示す模式図
【図３】本発明の実施の形態２に係る通信端末装置のブロック図
【図４】従来の通信端末装置のブロック図
【図５】従来技術における基地局装置から送信される送信データの測定の様子を示す模式図
【符号の説明】
【００３４】
１００、２００  通信端末装置
１０１  アンテナ
１０２  無線部
１０３  復調部
１０４  誤り訂正部
１０５  受信レベル測定部
１０６  通信制御部
１０７  ＧＡＰ制御部
１０８  ＭＢＭＳデータ区間判定部
２０９  送信部
２１０  回数記憶部
【図１】
2007104590.tif 000003
【図２】
2007104590.tif 000004
【図３】
2007104590.tif 000005
【図４】
2007104590.tif 000006
【図５】
2007104590.tif 000007